(57)【要約】【課題】、実際に装着されている交換レンズに応じた画像を表示する等、撮影を行い易くすることが可能な撮影装置及び撮影制御方法を提供する。【解決手段】画像データを記録したメモリ２２が設けられた交換レンズ３は、画像の表示を行う表示部７を備えたカメラ本体２に装着されると、カメラ本体２の信号処理＆制御部６は、メモリ２２に予め記録されたその交換レンズ３により撮影可能となる模範となるサンプル画像を読み込み、表示部７より所定時間表示し、その後、交換レンズ３及び撮像部５により被写体を撮像した画像を表示部７により表示するように切り換える表示制御を行う。【選択図】図１
2011170194.tif 000002
【特許請求の範囲】
【請求項１】
選択的に着脱可能な交換レンズを装着して撮影する撮影装置において、
上記交換レンズの結像位置に配置される撮像素子を備えた撮像部と、
上記交換レンズに設けられ、画像を含む画像データを記録する記録部と、
画像を表示する表示部と、
上記表示部に、上記交換レンズ内の上記記録部に記録された画像を読み出して表示する第１の表示モードと、
上記交換レンズを介して、上記撮像部で撮像中の画像を表示する第２の表示モードと、
を切り換え可能な表示制御を行う表示制御部と、
を具備することを特徴とする撮影装置。
【請求項２】
上記交換レンズ内の上記記録部に記録された画像データは、上記交換レンズで撮影可能なサンプル画像を含むことを特徴とする請求項１に記載の撮影装置。
【請求項３】
上記交換レンズは、撮影条件を変更する操作を行う操作部を有し、上記サンプル画像は、上記操作部の操作に従って変化する複数の画像を含むことを特徴とする請求項２に記載の撮影装置。
【請求項４】
上記交換レンズ内の上記記録部に記録された画像データは、上記交換レンズで撮影された画像と、該画像を撮影した撮影条件の情報を含むことを特徴とする請求項１に記載の撮影装置。
【請求項５】
上記交換レンズで撮影された画像を撮影した撮影条件の情報を読み込み、該情報により上記撮影装置で撮影する撮影条件に設定可能にしたことを特徴とする請求項４に記載の撮影装置。
【請求項６】
上記撮影装置には、さらにアクセサリ装置が着脱自在に装着され、上記表示制御部は、上記撮影装置に着脱自在に装着されるアクセサリ装置の機能に応じて上記表示部で表示する表示内容を変更することを特徴とする請求項１に記載の撮影装置。
【請求項７】
さらに、上記交換レンズが装着された状態で撮影装置により撮影した撮影画像を、上記交換レンズ内の上記記録部に追加して記録可能にしたことを特徴とする請求項２に記載の撮影装置。
【請求項８】
上記表示制御部は、上記交換レンズ３に記録された画像を読み出して表示する場合、該交換レンズと同じ特性の交換レンズで撮影されたものであるか否かの情報の表示を行うことを特徴とする請求項４に記載の撮影装置。
【請求項９】
撮影装置本体に着脱可能な交換レンズを装着して撮影装置により撮影する撮影制御方法は、
装着された交換レンズ内に予め記録された該交換レンズ又は該交換レンズと同じ特性の交換レンズを用いて撮影したサンプル画像を、上記撮影装置本体の表示部により表示する制御を行う第１の表示ステップと、
上記交換レンズを用いて、実際に撮像した画像を、上記撮影装置本体の表示部により表示する制御を行う第２の表示ステップと、
上記サンプル画像を撮影した撮影条件を読み出して、該撮影条件を撮影装置の撮影条件に設定する制御を行う設定ステップと、
を具備することを特徴とする撮影制御方法。
【請求項１０】
さらに、撮影条件を変更する操作部による操作に応じて、上記設定ステップにより設定された上記撮影装置の撮影条件を変更可能にすることを特徴とする請求項９に記載の撮影制御方法。
【発明の詳細な説明】
【技術分野】
【０００１】
本発明は、着脱可能な交換レンズを装着して撮影する撮影装置及び撮影制御方法に関する。
【背景技術】
【０００２】
近年、デジタルカメラなどの撮影機能付き携帯機器や撮影装置は、画像処理を駆使して、様々な撮影シーンにおいても良好な撮影を可能にしている。  
また、こうした撮影装置は、様々な特性を有する交換レンズを着脱して利用することによって、さらに撮影シーンを拡張することが可能である。  
こうした交換レンズは、種類が多い程、多くのニーズを満たすことが出来、多くのメーカーが多くのラインナップを用意している。  
しかし、こうしたラインナップは、その違いをユーザに簡単に実感させることが出来なかった。  
一方、特開２００８−５２４０号公報の従来例においては、カメラに内蔵された第１のメモリの他に着脱可能な第２のメモリを設け、第２のメモリに記録したデータを第１のメモリに保存するスイッチを設けている。
【０００３】
このようにして、機器内部にメモリを設ける動きもある。  
この従来例は、他のカメラ等で撮影して第２のメモリに記録した撮影データを、簡単にこのカメラに内蔵された第１のメモリに保存することができるようにしている。  
上記公報の従来例のように、デジタルカメラでも携帯電話でも、画像の記録は、もっぱら専用のメモリカードを使用することが多かった。  
これは、メモリカードが、撮影装置本体から簡単に取り外せるゆえに、プリンタやパーソナルコンピュータ（ＰＣ）、カメラなど他の機器への受け渡しが、容易にできるからであった。  
しかし、これを仲介して画像を受け渡す場合など、交換レンズが着脱自在となるカメラの場合においては、実際に装着された交換レンズの特性のために実際に取得（撮影）できる画像が異なるのでサンプル画像の交換には不向きであった。  
例えば、望遠レンズが装着された状態のカメラで取得できる画像と、広角レンズが装着された状態のカメラで取得できる画像とは大きく異なる。  
このような場合、つまり実際に装着された交換レンズの場合において、その交換レンズの場合において使用者が実際に撮影できる模範となるような画像を表示可能にする等して、撮影し易くすることができると、交換レンズの効果が簡単に分かり、使用者に対する利便性が向上する。
【発明の概要】
【発明が解決しようとする課題】
【０００４】
しかし、従来例ではこのような場合に適切に対応できていなかった。つまり、これまでは、交換レンズの撮影効果を簡単に確認できる工夫がなかった。
また、交換レンズを介して、画像データの受け渡し（又はコピー）ができると、画像データの受け渡しが簡単になる。  
本発明は上述した点に鑑みてなされたもので、実際に装着されている交換レンズに応じた画像を表示する等、撮影の補助ができ、画像データの交換も行い易くすることが可能な撮影装置及び撮影制御方法を提供することを目的とする。
【課題を解決するための手段】
【０００５】
本発明における選択的に着脱可能な交換レンズを装着して撮影する撮影装置は、
上記交換レンズの結像位置に配置される撮像素子を備えた撮像部と、
上記交換レンズに設けられ、画像を含む画像データを記録する記録部と、
画像を表示する表示部と、
上記表示部に、上記交換レンズ内の記録部に記録された画像を読み出して表示する第１の表示モードと、
上記交換レンズを介して、上記撮像部で撮像中の画像を表示する第２の表示モードと、
を切り換え可能な表示制御を行う表示制御部と、
を具備することを特徴とする。
【０００６】
本発明における撮影装置本体に着脱可能な交換レンズを装着して撮影装置により撮影する撮影制御方法は、
装着された交換レンズ内に予め記録された該交換レンズ又は該交換レンズと同じ特性の交換レンズを用いて撮影したサンプル画像を、上記撮影装置本体の表示部により表示する制御を行う第１の表示ステップと、
上記交換レンズを用いて、実際に撮像した画像を、上記撮影装置本体の表示部により表示する制御を行う第２の表示ステップと、
上記サンプル画像を撮影した撮影条件を読み出して、該撮影条件を撮影装置の撮影条件に設定する制御を行う設定ステップと、
を具備することを特徴とする。
【発明の効果】
【０００７】
本発明によれば、交換レンズを装着した場合、実際に装着されている交換レンズに応じた画像を表示する等、撮影を行い易くすることが可能になる。
【図面の簡単な説明】
【０００８】
【図１】図１は本発明のカメラの内部構成を示すブロック図。
【図２Ａ】図２Ａはカメラ本体に着脱自在に交換して着脱自在に装着される交換レンズと、撮影補助用のアクセサリ装置とを示す図。
【図２Ｂ】図２Ｂはカメラ本体に電子ビューファインダを装着して撮像した結果を観察している様子を示す図。
【図２Ｃ】図２Ｃはカメラ本体の背面に設けられた表示部に対して、表示モードの選択を行っている様子の説明図。
【図３Ａ】図３Ａは撮影レンズのカメラ本体への装着前の状態を示す説明図。
【図３Ｂ】図３Ｂは撮影レンズのカメラ本体への装着後におけるサンプル画像の表示例を示す説明図。
【図４Ａ】図４Ａはズーム操作により拡大したサンプル画像を表示した図。
【図４Ｂ】図４Ｂは絞り操作により、絞り操作に対応したサンプル画像を表示した様子を示す図。
【図５Ａ】図５Ａはカメラ本体に電子ビューファインダを装着する前の状態において、表示部における被写体の画像を表示した様子を示す図。
【図５Ｂ】図５Ｂはカメラ本体に電子ビューファインダを装着した後の状態において、表示部おけるサンプル画像を表示した様子を示す図。
【図６】図６は表示部に複数のサンプル画像を表示した様子を示す図。
【図７Ａ】図７Ａは撮影モード時において、メニュースイッチの操作により表示部に作例参照等の操作を選択可能にするメニュー画面を表示した様子を示す図。
【図７Ｂ】図７Ｂは再生モード時におけるメニュー画面から作例の項目を選択し、作例の参照、追加等の操作を選択可能にした様子を示す図。
【図８】図８は１つのカメラ本体から交換レンズを外して他のカメラ本体にその交換レンズを装着して、その交換レンズに記録されているサンプル画像を取得可能とする説明図。
【図９】図９は図８の交換レンズの装着により、記録されたサンプル画像から撮影条件を取得する様子の説明図。
【図１０】図１０は第１の実施形態のカメラによる撮影の制御を行う場合の処理手順の代表例を示すフローチャート。
【図１１】図１１は図１０の再生メニューの処理の代表例を示すフローチャート。
【図１２】図１２は図１０の作例参照の処理の代表例を示すフローチャート。
【図１３】図１３は図１０のステップＳ６の撮影制御用通信の動作説明図。
【図１４】図１４は図１０のステップＳ１５の画像用通信の動作説明図。
【図１５】図１５は撮影制御方法の処理手順の１例を示すフローチャート。
【図１６】図１６は装着された交換レンズとは異なる特性の交換レンズにより撮影したサンプル画像を表示した場合の表示例を示す図。
【発明を実施するための形態】
【０００９】
以下、図面を参照して本発明の実施形態を説明する。  
（第１の実施形態）
図１に示すように本発明の撮影装置の第１の実施形態のカメラ１は、撮影装置本体としてのカメラ本体２とこのカメラ本体２に着脱自在に装着される交換レンズ３と、このカメラ本体２に着脱自在に装着されるアクセサリ装置４とを備える。  
カメラ本体２の前面の例えば中央付近には、交換レンズ３を着脱自在に装着するためのマウント部が設けられている。このマウント部には例えば図２Ａに示すように広角撮影を行うための広角レンズ３Ａや、遠距離の被写体を拡大して撮影するための望遠レンズ３Ｂ等の交換レンズ３を選択的に装着することができる。  
また、図２Ａ等に示すようにカメラ本体の上面中央部付近には凹部形状のアクセサリ装置用マウント部（以下、単にマウント部）２６が設けられ、このマウント部２６には、電子ビューファインダ（ＥＶＦ）４Ａや、ストロボ発光装置４Ｂ等の撮影補助用のアクセサリ装置４の基端のマウント部３５を着脱自在に装着することができる。
【００１０】
図１に示すようにカメラ本体２内には、交換レンズ３により被写体像が結像される結像位置にその撮像面が配置される撮像素子５ａを備えた撮像部５と、この撮像素子５ａにより（被写体像を）光電変換した電気信号としての撮像信号（撮像画像）に対する信号処理と、表示制御等の制御を行う信号処理＆制御部６と、が設けてある。  
また、このカメラ本体２は、図３Ｂ等に示すようにカメラ本体２の背面に画像を表示する表示部７を有し、信号処理＆制御部６は、撮像信号（撮像画像）に対する信号処理を行うことにより、この表示部７において表示する画像を生成する。なお、撮像部５により撮像した撮像画像を表示部７で表示する場合には、スルー画像の表示とも言う。また、信号処理部は、画素間引きや、加算や圧縮率の変更などによって、画像サイズを縮小するといった、いわゆるリサイズ機能も有するものとする。  
また、このカメラ本体２は、撮影画像を記録する記録部８と、撮影の指示操作（単に操作）としてのレリーズ操作等の各種の操作を行う操作部９とが設けてある。
【００１１】
撮影の操作者としてのユーザ１０（図２Ｂ等を参照）により、操作部９から各種の操作がされると、操作判定部１１は操作部９の操作を判定し、判定結果を信号処理＆制御部６に出力し、信号処理＆制御部６は判定結果に対応した制御動作を行う。  
例えば、ユーザ１０がレリーズボタン９ａを操作してレリーズ（撮影）操作を行った場合には、操作判定部１１はレリーズ操作の判定を行い、信号処理＆制御部６はその判定結果に対応して撮像信号に対して圧縮処理を行い撮影画像として、記録部８に記録する。本実施形態においては、記録部８に撮影画像を記録する場合、撮影条件の情報も記録する。従って、記録部８は、撮影画像と撮影条件とを画像データとして記録する。なお、操作判定部１１の機能を、信号処理＆制御部６が持つようにしても良い。
【００１２】
このカメラ本体２の背面には、図３Ａ等に示すようにメニュー操作を行うためのメニュースイッチ９ｂや、回転して操作内容を変更するダイヤルボタン９ｃと、表示部７にタッチして操作するタッチパネル９ｄとが設けてある。なお、ダイヤルボタン９ｃとタッチパネル９ｄとは、両方でなく、一方のみ設けるようにしても良い。  
そして、図２Ｃに示すようにユーザ１０は、メニュースイッチ９ｂを操作して、表示部７による表示を確認しながら、後述するモード選択等の操作を行うことができるようにしている。  
また、このカメラ本体２は、交換レンズ３（の通信部２４）と通信を行う通信部１２と、アクセサリ装置４（の通信部３１）と通信を行う通信部１３と、記録部８に撮影画像を記録する際、撮影日時を記録するための時間計測を行う時計部１４と、音声を収録する音声収録部１６と、を有する。なお、撮影画像を記録する場合、音声収録部１６により収録した音声も記録することができる。
【００１３】
また、このカメラ本体２は、撮像された画像から人間の顔の特徴を有する陰影パターンを検出する顔検出部１５を有する。また、記録部８に画像を記録する場合、顔検出部１５により検出した検出結果としての顔の大きさ、位置、顔の数等の特徴も、記録部８の画像特徴記録部８ａに記録する。  
なお、顔検出部１５の他に、記録部８に記録する画像が、人物であるか、風景であるか等の特徴を検出する画像特徴検出部を設けるようにしても良い。  
また、以下に説明するように表示部信号処理＆制御部６が、交換レンズ３側から画像データを取得した場合、記録部８に仮記録しても良いが、記録部８以外の仮記録を行うためのメモリを持つようにしても良い。  
交換レンズ３は、ズーム機構２１ａや、絞り２１ｂを備えたレンズ部２１と、このレンズ部２１を駆動する制御プログラムや、サンプル画像及びその撮影条件の情報を含む画像データを記録可能とする記録部としてのメモリ２２とを有する。  
サンプル画像は、例えばプロカメラマンが、その交換レンズ３の特性を活かしたシーンや被写体の撮影によって得たものであって、ユーザ１０が、そのようなシーンがある場所に出かけたり、適切な被写体を探したりすることなく、交換レンズ３のボケ味や拡大効果などの持ち味を体感できるようなものを想定している。もちろん、ユーザ１０が、満足して、これこそがこの交換レンズ３で撮影した甲斐があったと思ったものを記録可能にしてもよい。
【００１４】
メモリ２２は、交換レンズ３の主に所有者がセキュリティを確保して画像データ等を記録することができるセキュリティエリア２２ａを設定することができるようにしている。メモリ２２は、例えばフラッシュメモリ等の不揮発性で書き換え可能な半導体メモリを用いることができる。なお、セキュリティエリアは、セキュリティを確保するための公知のアルゴリズムや、セキュリティ用ＩＣ等を用いて設定される。  
このセキュリティエリア２２ａとして、メモリ２２の全記録エリア中において、ユーザが空いている任意のエリアサイズを設定することができる。ユーザ１０は、セキュリティを確保する必要がない画像データの場合には、メモリ２２におけるセキュリティエリア２２ａ以外の記録エリア（通常エリアと記す）に記録することができる。
【００１５】
なお、このメモリ２２における通常エリアには、例えば工場出荷の際にはその交換レンズ３と同じ特性の交換レンズ３により撮影された模範となるサンプル画像と、そのサンプル画像を撮影した撮影時のズーム倍率やシャッタスピード等の撮影条件の情報とが記録されている。  
また、それらの設定条件を変えた画像を沢山用意して、切換の効果に従って、その画像を変更できるようにしている。沢山の画像データを記録するには、こうした画像データはカメラ本体２側でなく、交換レンズ３毎に持った方がよい。なお、画像データは、カメラ本体２の背面の表示部７に表示して利用することを前提としていて、違和感のない解像度のものでよい。これによって通信を高速にも出来、沢山の画像を記録できる。また、このメモリ２２には、個々の交換レンズ３のレンズ部２１の特性や、機能に対応した識別情報（ＩＤと略記）を記録する識別情報記録部２２ｂを有する。  
また、ユーザ１０がカメラ本体２に実際に装着された交換レンズ３（又は同じ特性の交換レンズ）により撮影した画像を、メモリ２２におけるセキュリティエリア２２ａ又は通常エリアに、サンプル画像として追加して記録することもできる。
【００１６】
その場合、交換レンズ３の撮影時の撮影条件の情報も記録することができる。図１では、この情報を記録する情報記録部２２ｃを通常エリア内に設けた例で示している（セキュリティエリア２２ａ内に情報記録部２２ｃが形成される場合もある）。  
また、この交換レンズ３は、レンズ部２１のピント合わせの操作、ズーム機構２１ａのズーム倍率を変える操作、絞り値を可変操作する操作部２３と、カメラ本体２の通信部１２と通信を行う通信部２４とを有する。  
カメラ本体２に交換レンズ３が装着された状態において、装着された交換レンズ３に対してユーザ１０が、操作部２３からズーム操作等を行った場合、操作部２３の操作に対応した情報を通信部２４はカメラ本体２の通信部１２を介して信号処理＆制御部６に送信する。そして、信号処理＆制御部６は、操作部２３の操作を把握すると共に、その操作に対応した制御動作を行う。
【００１７】
また、カメラ本体２に交換レンズ３が装着された場合、信号処理＆制御部６は、メモリ２２の識別情報記録部２２ｂの情報により、実際に装着された交換レンズ３の種類や機能等を把握する。  
なお、通信部２４は、交換レンズ３の動作を制御する制御部２５を有し、この制御部２５は、交換レンズ３の操作部２３が操作された場合や、カメラ本体２側から交換レンズ３に対する制御操作がされた場合等において交換レンズ３の各部を適切に制御する。また、この通信部２４は、カメラ本体２の通信部１２との間で、撮影制御のための通信を行う撮影制御用通信部２４ａと、画像転送を行う画像用通信部２４ｂとの両方の通信機能を備える。図１においては、交換レンズ３側において、両方の通信機能を明示するように示しているが、通信部１２も同様の機能を備えることになる。  
なお、交換レンズ３は、例えば図３Ａに示すように交換レンズ３の基端のマウント部には、カメラ本体２の通信部１２と通信を行うための複数の通信端子２７が設けてある。通信部２４は、通信端子２７を通して、クロック、画像データ、制御データ等をハンドシェーク等によりカメラ本体２の通信部１２と通信を行う。
【００１８】
図３Ａでは通信端子２７として、金属接点の例で示しているが、これに限定されるものでなく、金属接点を設けないで、非接触の通信手段を用いても良い。  
また、本実施形態においては、信号処理＆制御部６は、記録部８に記録した画像データを通信部１２，２４を介してメモリ２２のセキュリティエリア２２ａ又は通常エリアに記録する制御を行う機能を持つ。  
また、交換レンズ３を取り外して他のカメラ本体（２′とする）に装着した場合には、該他のカメラ本体２′（の信号処理＆制御部６）は、その交換レンズ３に記録された画像データを記録部８にコピーして記録することができる。つまり、交換レンズ３を介して、画像データの受け渡しを行うことができる。
【００１９】
このように本実施形態における信号処理＆制御部６は、通信部１２により交換レンズ３の通信部２４との間で通信制御を行う通信制御部６ａの機能を持つ。この通信制御部６ａは、通信部１２，２４を経由してカメラ本体２の記録部８と交換レンズ３のメモリ２２と画像データを双方向に転送する機能を持つ。  
また、この通信制御部６ａは、アクセサリ装置４に設けられた通信部３１と通信を行う通信部１３の通信制御も行う。図２Ａ等に示すようにカメラ本体２の上面の中央のマウント部２６に、ＥＶＦ４Ａ等のアクセサリ装置４のマウント部３５を装着した場合には、図示しない通信端子が導通する。  
信号処理＆制御部６は、通信端子を介して導通状態となる通信部１３，３１を経由して画像データや制御信号等を伝送する。
【００２０】
図１に示すようにアクセサリ装置４は、撮影を補助する撮影補助部３２と、画像データ等を記録することができる記録部としてのメモリ３３とを有する。ユーザ１０は、アクセサリ装置４に設けたメモリ３３に、画像データを記録することができるようにしている。  
図２Ａに示すようにアクセサリ装置４がＥＶＦ４Ａの場合には、撮影補助部３２はカメラ本体２で撮像した撮像画像をＥＶＦ４Ａのファインダ表示部で表示する機能を持つ。図２Ｂは、カメラ本体２にＥＶＦ４Ａを装着してユーザ１０がこのＥＶＦ４Ａのファインダ表示部に目を近づけて撮像画像を見ながら撮影する様子を示している。  
また、図２Ａに示すようにアクセサリ装置４がストロボ発光装置４Ｂの場合には、撮影補助部３２はストロボ発光するストロボ発光部の機能を持つ。
【００２１】
なお、マウント部２６には、この他に光学的ビューファインダ（ＯＶＦ）のマウント部を装着することもできる。  
また、本実施形態における信号処理＆制御部６は、図３Ａ及び図３Ｂに示すようにカメラ本体２に装着される交換レンズ３に対応して表示部７において表示する表示モード（表示形態）を変更する表示制御部６ｂの機能を持つ。  
図３Ａは交換レンズ３が装着される前の状態であり、この状態では表示部７には、何も表示されていない状態であるが、交換レンズ３が装着された場合には、表示制御部６ｂは、表示部７において、撮影用レンズであることを示すサンプル画像４１ａを表示する。
【００２２】
この場合、信号処理＆制御部６（の表示制御部６ｂ）は、交換レンズ３内のメモリ２２に記録された画像データとしてのサンプル画像４１ａを読み出して、第１の表示モードとしてサンプル画像４１ａを表示する。図３Ｂの例では、被写体までの距離が２ｍの場合で撮影したサンプル画像４１ａであることも表示している。  
また、この表示制御部６ｂは、交換レンズ３の操作部２３が操作された場合、その操作部２３の機能に対応したサンプル画像を表示部７で表示する制御機能を持つ。具体的には、図４Ａに示すようにズーム操作部（ズーム環）２３ａが操作された場合には、その操作に従って、その交換レンズ３によりどれだけズーム拡大できるか等をサンプル画像で示す。
【００２３】
図４Ａの具体例では、サンプル画像４１ａの表示から、このサンプル画像４１ａを例えば３倍に拡大したサンプル画像４１ａ′を読み出して表示することにより、ユーザ１０はこのような拡大ができることを容易に知ることができる。  
図４Ａでは交換レンズ３側での操作に対する表示制御例を示したが、カメラ本体２側での操作に対しても同様の表示制御を行うようにしても良い。例えば、図４Ｂに示すようにダイヤルボタン９ｃの操作によりユーザ１０が絞り操作をした様子を示す。  
この具体例では絞りの値を変更する絞り操作に対応して、表示制御部６ｂは、対応する例えばＦナンバが２．０の値のサンプル画像４１ｂを読み出し、そのサンプル画像４１ｂを表示するように制御する。
【００２４】
このサンプル画像４１ｂは、サンプル画像４１ａにおけるピントを合わせた距離付近のみが鮮明に、そして遠方側が不鮮明になる撮影条件になる様子が、ユーザ１０は、サンプル画像４１ｂの表示により容易に理解できる。  
また、本実施形態においては、アクセサリ装置４と連携して表示制御を行うこともできるようにしている。図５Ａはカメラ本体２にアクセサリ装置４を装着しない状態で被写体を撮影する場合における表示制御部６ｂによる表示制御の様子を示す。  
この状態においては表示制御部６ｂは、人物の被写体５１が交換レンズ３、及び撮像部５の撮像素子５ａを介して撮像した撮像中の撮像画像５１ａをカメラ本体２の背面の表示部７において（第２の表示モードで）表示する。
【００２５】
図５Ａの状態から例えばＥＶＦ４Ａが装着された場合には、図５Ｂに示すように、ＥＶＦ４Ａのファインダ表示部に撮像画像５１ａが表示される。このため、カメラ本体２の背面の表示部７において、同じ撮像画像５１ａを表示する必要性が小さくなる。  
そこで、本実施形態においては、ＥＶＦ４Ａが装着された場合には、カメラ本体２の背面の表示部７での被写体表示の機能を停止し、代わりにサンプル画像４１ａを表示するようにすることもできる。つまり、アクセサリ装置４の機能（具体的にはビューファイダ機能）に応じて、表示制御部６ｂが、表示部７で表示する表示内容を変更する表示制御を行うようにしても良い。  
なお、後述する図１２で説明するようにＥＶＦ４Ａ等のビューファインダが未装着の場合にもサンプル画像を短い時間表示した後、撮影画像５１ａを表示する表示制御を行うようにしても良い。  
ユーザ１０は、表示部７に表示されるこのサンプル画像４１ａを撮影する時の模範にして撮影することができる。
【００２６】
また、図５Ｂでは１つのサンプル画像４１ａを表示する例を示しているが、撮影しようとする画像の特徴を解析することにより、類似する複数のサンプル画像を表示するようにしても良い。  
例えば、撮影しようとする場合の撮影画像を顔検出部１５により顔を検出し、その検出結果に従って、類似する複数のサンプル画像を選択し、図６に示すように選択した複数のサンプル画像５２ａを表示しても良い。  
このように表示することにより、余計なサンプル画像を表示しないようにできるため、ユーザ１０に対する利便性を向上できる。また、本実施形態においてはこのように表示するサンプル画像として、ユーザ１０自身が撮影した撮影画像をサンプル画像に追加することもできるようにしても良い。
【００２７】
また、図７Ａに示すように交換レンズ３を装着した例えば撮影時（撮影モード時）においても、例えばメニュー操作により、サンプル画像の表示等、作例に関する操作を行うことができるようにしても良い。  
本実施形態においては、ユーザ１０がメニュースイッチ９ｂ等を操作して、図７Ａに示すように表示部７に、メニュー画面として作例参照等のメニュー項目を表示することができるようにしている。図７Ａでは、作例参照の他に、再生、記録の項目や、戻るための項目を表示する。  
ユーザ１０は、メニュー画面における複数の項目の選択や決定をメニュースイッチ９ｂ、ダイヤルボタン９ｃ、タッチパネル９ｄ、あるいは十字キーなどを使って行う。なお、図７Ａの表示例に限定されるものでなく、少なくともサンプル画像を表示する第１の表示モードと、撮像画像を表示する第２の表示モードとを切り換える操作を行うことができるものであれば良い。
【００２８】
また、カメラ本体２側で、予め設定された制御方法で第１の表示モードと、撮像画像を表示する第２の表示モードとを切り換えるようにしても良い。  
また、画像を再生する再生時（再生モード時）においても同様に作例に関する操作を行うことができるようにしても良い。  
図７Ｂに示す具体例においては、再生時においてメニュースイッチ９ｂを操作し、メニュー項目の表示から、さらに作例の項目を選択した場合の表示例を示す。この場合には、作例として（の具体例の）サンプル画像を追加する追加の項目、サンプル画像を参照する参照の項目、サンプル画像を他のユーザとシェア（共有）可能にするシェアの項目、そしてメニューを消す戻る操作を行う項目が表示される。  
本実施形態においては、追加の機能は、セキュリティを確保してサンプル画像を追加する。一方、シェアの場合には、セキュリティを確保しないでサンプル画像を共有できるようにする。  
なお、再生モードにおける図７Ｂのようなメニュー画面の表示例に限定されるものでなく、サンプル画像を表示する第１の表示モードと、撮像画像を表示する第２の表示モードとを切り換える操作を行うことができるものであれば良い。
【００２９】
図７Ｂにおいてシェアの操作を行った場合には、再生時に再生されている例えば撮影画像が交換レンズ３のメモリ２２におけるセキュリティエリア２２ａ以外のエリアに記録される。  
従って、この交換レンズ３を別のカメラ本体（２とは異なる別体のカメラ本体２′）に装着することにより、シェアの操作で記録された撮影画像をサンプル画像として別体のカメラ本体２′で参照したり、カメラ本体２′に記録することができる。この場合の具体例を図８に示す。  
図８の左側に示すカメラ本体２において写真教室の先生が撮影してシェアの操作を行うことにより、交換レンズ３のメモリ２２にサンプル画像５３ａが記録され、その交換レンズ３をそのカメラ本体２から外してその交換レンズ３を生徒のカメラ本体２′に装着する。
【００３０】
そして、生徒がサンプル画像を表示する操作を行うことにより、先生が撮影したサンプル画像（図８では符号５３ａで示す）を撮影の模範（手本）のサンプル画像（図８では符号５３ｂで示している）を表示部７で表示されるのを鑑賞したり、生徒が記録の操作をして、表示されているサンプル画像を５３ｂカメラ本体２′の記録部８にコピーして記録する、つまり譲り受けることもできる。  
ただし、交換レンズ３内のメモリ２２に記録したサンプル画像及びその撮影条件全てをシェアしたくない場合もある得るので、本実施形態においてはシェアしたくないものは、セキュリティが確保されたセキュリティエリア２２ａに記録することができるようにしている。  
また、図９に示すように表示部７に複数のサンプル画像５２ａを表示して、ユーザ１０が実際に撮影しようとするものに近いサンプル画像５２ｂを選択した場合、選択されたサンプル画像５２ｂを撮影した撮影時の絞りやシャッタスピード等の撮影条件の情報を取得したり、その撮影条件に設定できるようにしても良い。  
なお、図９において選択されたサンプル画像５２ｂを太い枠で示している。
【００３１】
上述した第１の実施形態のカメラ１は、選択的に着脱可能な交換レンズ３を装着して撮影する撮影装置を構成し、上記交換レンズ３の結像位置に配置される撮像素子５ａを備えた撮像部５と、上記交換レンズ３に設けられ、画像を含む画像データを記録する記録部としてのメモリ２２と、画像を表示する表示部７と、上記表示部７に、上記交換レンズ３内のメモリ２２に記録された画像を読み出して表示する第１の表示モードと、上記交換レンズ３を介して、上記撮像部５で撮像中の画像を表示する第２の表示モードと、を切り換え可能な表示制御を行う表示制御部６ｂと、を具備することを特徴とする。
【００３２】
上述した第１の実施形態のカメラ１による制御内容を図１０に示す。カメラ１の電源が投入されると、信号処理＆制御部６は、例えば記録部８の制御プログラム記憶部８ｂに記録されている制御プログラムを読み出し、その制御プログラムに従って制御動作を開始する。なお、制御プログラムを記録部８以外の記録部に記録しても良い。  
図１から図９を参照して上述した内容を実現するためのカメラ制御の処理手順を図１０に示す。  
図１０に示すようにカメラ制御の動作が開始すると、最初のステップＳ１において信号処理＆制御部６は、撮影モードであるか否かの判定を行う。
【００３３】
撮影モードが選択されている場合には、ステップＳ２において信号処理＆制御部６は、カメラ本体２に交換レンズ３が装着されているレンズ装着済みであるか否かの判定を行う。このステップＳ２の判定において、レンズ装着済みでない場合にはステップＳ１の処理に戻る。  
レンズ装着済みの場合には、次のステップＳ３において信号処理＆制御部６は、交換レンズ３が装着されたレンズ装着直後であるか否かの判定を行う。  
レンズ装着直後でない判定結果の場合には、次のステップＳ４において信号処理＆制御部６は、撮像部５により撮像した撮像画像を表示部７においてスルー画像として表示すると共に、撮像画像から顔検出部１５により顔検出を行う。換言すると、信号処理＆制御部６（の表示制御部６ｂ）は、レンズ装着直後には、後述するステップＳ１６のようにサンプル画像を所定時間表示した後、撮像画像を切り換えて表示する制御を行う。
【００３４】
次のステップＳ５において信号処理＆制御部６は、ユーザ１０により撮影のためのレリーズ操作が行われたか否かを判定する。  
レリーズ操作が行われた場合には、ステップＳ６において信号処理＆制御部６は、通信部１２及び交換レンズ３の通信部２４により撮影制御用通信機能を用いて、交換レンズ３を用いて、レンズ部２１の絞り値制御やピント合わせやシャッタスピードの撮影制御を行う。この動作内容は図１３にて説明する。  
このステップＳ６の撮影制御により交換レンズ３を通して撮像部５により撮像された撮像画像は、ステップＳ７において信号処理＆制御部６により撮影画像として撮影記録する処理が行われる。信号処理＆制御部６は、撮像画像に対して圧縮処理を行い、圧縮処理した画像を撮影画像として記録部８に記録する。
【００３５】
この場合、信号処理＆制御部６は、その画像の特徴を画像特徴記録部８ａに記録する。また、信号処理＆制御部６は、撮影時の撮影条件の情報も記録部８に記録する。この情報は、交換レンズ３のメモリ２２にサンプル画像として記録する場合に、該サンプル画像と関連付けた画像データとして記録される。  
次のステップＳ８において信号処理＆制御部６は、電源をＯＦＦにする電源ＯＦＦの操作がされたか否かを判定し、電源ＯＦＦの操作がされたか場合には、電源をＯＦＦにする。  
ステップＳ１の処理において撮影モードでない判定結果の場合には、ステップＳ９において信号処理＆制御部６は、記録部８に記録した撮影画像の再生が選択される再生モードであるか否かの判定を行う。
【００３６】
再生モードが選択されていない場合には、ステップＳ１の処理に戻り、再生モードが選択された判定結果の場合には、再生可能な複数の縮小された画像としてのサムネイル画像が表示部７に表示される。  
なお、複数の画像をファイル（フォルダ）に分けて各ファイルの最新画像をそれぞれ表示したものでも良い。そして、次のステップＳ１０において信号処理＆制御部６は、再生する画像の選択操作がされたか否かを判定する。  
画像の選択が行われない場合にはステップＳ１４において信号処理＆制御部６は、終了するか否かの判定を行い、逆に画像の選択が行われた場合にはステップＳ１１において信号処理＆制御部６は、選択されたサムネイル画像を拡大して、表示部７において通常サイズの画像として再生表示する。
【００３７】
ステップＳ１１の次のステップＳ１２において信号処理＆制御部６は、ユーザ１０によりメニュー操作がされた否かの判定を行う。そして、メニュー操作がされていない場合にはステップＳ９の処理に戻り、メニュー操作がされた判定結果の場合にはステップＳ１３において信号処理＆制御部６は、再生モードにおける作例に関するメニューとしての図７Ｂに示すような再生メニュー等を表示して、その再生メニューに対する処理を行う。  
なお、再生メニューとして、通常の再生モードに対応した再生の項目と、作例に関する作例の項目を表示した後、作例の項目を選択する操作が行われた場合に、図７Ｂに示す作例に関するメニューを表示しても良い。この再生メニューの処理に関しては図１１にて後述する。なお、図７Ｂの表示例ではサンプル画像の表示の上に作例を参照する項目等のメニューを表示する例を示しているが、撮影した画像の再生画像や、これから撮影しようとしている撮像画像の上にこのようなメニューを表示するようにしても良い。
【００３８】
上記ステップＳ１４において終了の操作が行われていない場合には、ステップＳ１０の処理に戻り、終了の操作が行われた場合にはステップＳ８の処理に移る。  
上記ステップＳ３においてレンズ装着直後である場合には、ステップＳ１５において信号処理＆制御部６は、通信部１２及び交換レンズ３の通信部２４による画像用通信の処理を行う。  
画像用通信の処理としては、カメラ本体２は交換レンズ３内のメモリ２２の画像データの情報（レンズ情報）を取得し、取得結果に従って（サンプル画像を含む）画像データを読み出し、読み出した画像データをカメラ本体２内部に（表示部７で表示できるように）仮記録する。このステップＳ１５に関しては、図１４において説明する。
【００３９】
そして、次のステップＳ１６において信号処理＆制御部６の表示制御部６ｂは、画像用通信機能により取得したサンプル画像を表示部７において所定時間表示する。  
次のステップＳ１７において信号処理＆制御部６は、交換レンズ３からサンプル画像を記録する操作がされたか否かの判定を行う。この記録の操作は、図７Ａに示すようにメニュースイッチ９ｂによるメニュー画面から表示される記録の項目に対する操作により行うことができる。  
サンプル画像を記録する操作がされた場合には、次のステップＳ１８において信号処理＆制御部６は、サンプル画像を記録部８に記録し、ステップＳ８の処理に移る。一方、ステップＳ１７においてサンプル画像を取得しない判定結果の場合には、ステップＳ８の処理に移る。
【００４０】
また、上記ステップＳ５においてレリーズ操作が行われていない場合には、ステップＳ１９において信号処理＆制御部６は、操作部９，２３による操作がされたか否かを判定する。  
そして、操作がされた場合には、次のステップＳ２０において信号処理＆制御部６は、その操作に従った撮影条件に切り換える処理を行う。具体的には、ユーザ１０は、撮影のためにズーム機構、絞り、シャッタスピード等を撮影条件に設定する操作を行うと、その操作に従って信号処理＆制御部６は、カメラ１の撮影条件の設定を切り換える。ステップＳ１９からステップＳ２０の処理を行う場合にも、カメラ本体２（の信号処理＆制御部６）と交換レンズ３との間でステップＳ６と同様に撮影制御用通信を行うことになる。
【００４１】
ステップＳ２０の処理の後、又はステップＳ１９において操作がされなかった場合には、ステップＳ２１の処理に進む。ステップＳ２１において信号処理＆制御部６は、作例を参照するための操作がされたか否かの判定を行う。この操作がされない場合にはステップＳ８の処理に移る。  
作例を参照する操作がされた場合にはステップＳ２２において信号処理＆制御部６は、作例参照の処理を行う。この作例参照の処理は、図１２において後述する。  
次に図１１を参照して再生メニューを説明する。再生メニューにおいては記録部８に記録された撮影画像を再生する通常の再生モードの機能において、さらに撮影画像を再生した再生画像を作例としてのサンプル画像として追加（交換レンズ３のメモリ２２に記録）したり、（交換レンズ３のメモリ２２の）サンプル画像を参照したりすることができる機能を持つ。
【００４２】
再生メニューの処理が開始すると、最初のステップＳ３１において信号処理＆制御部６は、作例の参照を選択する操作がされたか否かの判定を行う。  
作例の参照を選択する操作がされていない場合には、次のステップＳ３２において信号処理＆制御部６は、シェア（共有）を選択する操作がされたか否かの判定を行う。ユーザ１０は、再生している再生画像を他のユーザが閲覧、又は他のユーザに譲り渡しても良いような場合には、シェアの操作を行う。  
そして、シェアを選択する操作がされた場合には、次のステップＳ３３において信号処理＆制御部６は、通信部１２及び交換レンズ３の通信部２４による画像用通信の処理を行う。この時、画像のサイズを、表示部７で表示して違和感のないサイズに、信号処理＆制御部６が、縮小リサイズし、通信スピードを高速にできるようにする。背面の表示部７の画素数に従って、たとえば、ＶＧＡレベルにする。
【００４３】
そして、ステップＳ３４においてカメラ本体２側の表示部７で表示している再生画像の画像データは、画像用通信の処理により、カメラ本体２から交換レンズ３側に送信され、この交換レンズ３内のメモリ２２におけるセキュリティエリア２２ａ以外の通常エリアに記録される。このステップＳ３４の後、ステップＳ３５の処理に移る。  
ステップＳ３２においてシェアの操作が行われない場合にはステップＳ３６において信号処理＆制御部６は、セキュイティを確保してサンプル画像としてメモリ２２に追加記録する追加の操作が行われたか否かを判定する。追加の操作が行われない場合にはステップＳ３５の処理に移り、追加の操作が行われた場合にはステップＳ３７の処理に移る。
【００４４】
ステップＳ３７において信号処理＆制御部６は、通信部１２及び交換レンズ３の通信部２４による画像用通信の処理を行う。そして、信号処理＆制御部６は、表示部７で再生中の再生画像の画像データを交換レンズ３側に送信する。そして、ステップＳ３８において、送信された再生画像の画像データは、交換レンズ３内のメモリ２２のセキュリティエリア２２ａに記録される。このステップＳ３８の後、ステップＳ３５の処理に移る。  
ステップＳ３８では、画像のサイズを、表示部７で表示して違和感のないサイズに、信号処理＆制御部６が縮小リサイズし、通信スピードを高速にできるようにする。背面の表示部７の画素数に従って、たとえば、ＶＧＡレベルにする。
ステップＳ３５において信号処理＆制御部６は、戻る選択操作が行われたか否かを判定し、戻る選択操作が行われない場合にはステップＳ１２のメニュー操作の判定処理に戻り、戻る選択操作が行われた場合には、図７Ｂの再生メニュューの表示を消して、ステップＳ９の再生モードの判定処理に戻る。
【００４５】
また、ステップＳ３１において作例の参照を選択する操作がされた場合には、ステップＳ３９において信号処理＆制御部６は、再生画像の画像特徴を判定する処理を行う。この処理の後、ステップＳ４０において信号処理＆制御部６は、通信部１２及び交換レンズ３の通信部２４とによる画像用通信の処理を行う。  
そして、信号処理＆制御部６は、画像用通信の処理により交換レンズ３内のメモリ２２から再生画像と同じ特徴のサンプル画像を読み出す。その後、ステップＳ４１において信号処理＆制御部６は、読み出した対応画像、つまり再生画像と同じ特徴を有するサンプル画像を表示部７で表示する制御動作を行い、ステップＳ３５の処理に移る。  
次に図１０におけるステップＳ２２の作例参照の処理を図１２により説明する。図１２の処理は、例えば図７Ａのようなメニュー項目の表示に対応した処理を含む。
【００４６】
作例参照の処理が開始すると最初のステップＳ５１において信号処理＆制御部６は、カメラ本体２に、図５Ａに示すＥＶＦ４Ａ等のビューファインダが装着されているか否かの判定を行う。ビューファインダが装着されている場合には、ステップＳ５２において信号処理＆制御部６は、通信部１２及び交換レンズ３内の通信部２４による画像用通信の処理を行う。  
そして、ステップＳ５３において信号処理＆制御部６は、画像用通信部２４ｂを介してメモリ２２に記録されているサンプル画像を読み出し、読み出したサンプル画像をカメラ本体２の表示部７で、例えば１分表示する。その後、信号処理＆制御部６は、ステップＳ５４の処理に移る。
【００４７】
一方、ステップＳ５１においてビューファインダが装着されていない場合にも、ステップＳ５５において信号処理＆制御部６は、通信部１２及び交換レンズ３内の通信部２４による画像用通信の処理を行う。  
そして、ステップＳ５６において信号処理＆制御部６は、画像用通信部２４ｂを介してメモリ２２に記録されているサンプル画像を読み出し、読み出したサンプル画像をカメラ本体２の表示部７で、例えば１０秒表示する。その後、信号処理＆制御部６は、ステップＳ５４の処理に移る。  
つまり、図１２に示す例においては、表示制御部６ｂは、ビューファインダが未装着の場合には、短い表示時間、サンプル画像を表示し、ビューファインダが装着されている場合には、より長い表示時間、サンプル画像を表示する表示制御を行う。
【００４８】
これは、ビューファインダが未装着の場合には、表示部７により撮影しようとする画像を確認することが必要になるため、サンプル画像の表示時間を短くする。これに対してビューファインダが装着されている場合には、ユーザ１０は、ビューファインダにより撮影しようとする画像を確認することができるため、サンプル画像の表示時間をより長くしている。  
ステップＳ５４において信号処理＆制御部６は、表示時間内であるか否かの判定を行い、表示時間を経過した場合には図１２の処理を終了して図１０のステップＳ８に移る。この場合、信号処理＆制御部６が、図７Ａに示す戻る処理を行うか否かをユーザに求め、図７Ａのメニュー画面を消すようにしても良い。なお、ステップＳ８の処理においてユーザ１０が電源ＯＦＦの操作をしないと、ステップＳ１に戻る。  
一方、ステップＳ５４の判定処理において、表示時間内の場合にはステップＳ５７の処理に移る。
【００４９】
ステップＳ５７において信号処理＆制御部６は、記録の操作が行われたか否かの判定を行う。例えば図７Ａに示すように記録の項目の操作が行われた場合にはステップＳ５８において信号処理＆制御部６は、表示部７で表示中のサンプル画像を記録部８に記録する。その後、記録の操作が行われなかった場合と同様にステップＳ５９の処理に移る。  
ステップＳ５９において信号処理＆制御部６は、作例の撮影条件をカメラ１の撮影条件に設定する操作としての作例参照（撮影条件参照）の操作が行われたか否かの判定を行う。作例参照の操作が行われた場合にはステップＳ６０において信号処理＆制御部６は、選択されたサンプル画像の撮影条件を読み込み、読み込んだ撮影条件をカメラ１の撮影条件に設定する。その後、作例参照の操作が行われなかった場合と同様にステップＳ６１の処理に移る。
【００５０】
ステップＳ６１において信号処理＆制御部６は、カメラ１におけるズーム操作、絞り可変操作等の操作がされたか否かの判定を行う。  
操作がされた場合にはステップＳ６２において信号処理＆制御部６は、その操作内容を判定し、判定結果の情報に従って通信部１２及び交換レンズ３の通信部２４による画像用通信の処理を行う。  
そして、ステップＳ６３において信号処理＆制御部６は、画像用通信部２４ｂを介してメモリ２２に記録されている別のサンプル画像、つまりステップＳ６２の操作に対応したサンプル画像を読み出し、読み出したそのサンプル画像をカメラ本体２の表示部７で表示する。その後、ステップＳ６１において操作されなかった場合と同様にステップＳ５１の処理に移る。なお、ステップＳ６３の処理は、メモリ２２に該当する別のサンプル画像が記録されていない場合には、行われない。また、この他に図７Ａに示すように再生モードに移るための項目を用意しても良い。
【００５１】
また、図１０におけるステップＳ６の撮影制御用通信の処理を、図１３を参照して詳細に説明する。なお、図１３（図１４も同様）における縦方向の上から下方向は、時間の経過を示す。  
この場合の処理は、カメラ本体２と交換レンズ３との間においてカメラ本体２は、交換レンズ３の絞り値やピント位置の情報を送信し、交換レンズ３は送信された絞りやピント位置にレンズ部２１を設定する通信処理となる。  
このため、カメラ本体２は、ステップＳ７１に示すように交換レンズ３に対して、通信部１２及び通信部２４を経由して撮影時の絞り値等の絞り制御情報を送信する。
【００５２】
交換レンズ３は、ステップＳ７２に示すように送信された絞り制御情報を受信し、受信した絞り制御情報に従って、絞り値の設定を行う。この設定後に、交換レンズ３は設定した事の返信をカメラ本体２に対して行う。そして、ステップＳ７３に示すように、カメラ本体２は、その返信によりその設定を確認する。  
さらに、カメラ本体２は、ステップＳ７４に示すように交換レンズ３に対して、通信部１２及び通信部２４を経由してピント位置情報を送信する。  
交換レンズ３は、ステップＳ７５に示すように送信されたピント位置情報を受信し、受信したピント位置情報に従って、レンズ部２１のピント位置の設定を行う。この設定後に、交換レンズ３は設定した事の返信を行う。そして、ステップＳ７６に示すように、カメラ本体２はその返信によりその設定を確認する。  
その後、さらにカメラ本体２はステップＳ７７によりシャッタスピード情報の送信、交換レンズ３は受信してシャッタスピードの設定、及び設定した事の返信（ステップＳ７８）、カメラ本体２はその返信を受けてシャッタスピード設定の確認（ステップＳ７９）を行い、撮影制御用通信の処理を終了する。
【００５３】
また、図１０におけるステップＳ１５の画像用通信の処理を、図１４を参照して詳細に説明する。この場合の動作機能は、カメラ本体２と交換レンズ３との間においてカメラ本体２は、交換レンズ３のメモリ２２にサンプル画像が記録されているか否かを確認するための信号を送る。  
サンプル画像が記録されている場合にはサンプル画像を読み出し、読み出したサンプル画像をカメラ本体２の表示部７で表示する処理となる。  
このため、カメラ本体２は、ステップＳ８１に示すように交換レンズ３に対してレンズ情報（交換レンズ３内のメモリ２２にサンプル画像が記録されているか否かの情報）を要求する信号を送信する。  
この要求に対して、交換レンズ３は、ステップＳ８２に示すようにレンズ情報に対する返信（例えばサンプル画像有りの返信）を返す。
【００５４】
この返信により、カメラ本体２は、ステップＳ８３に示すように交換レンズ３にサンプル画像有りと判定する。また、カメラ本体２は、ステップＳ８４に示すように交換レンズ３に対して、サンプル画像（の送信）を要求する信号を送信する。  
この要求に対して、交換レンズ３は、ステップＳ８５に示すようにサンプル画像を送信する。なお、交換レンズ３は、サンプル画像の他に、このサンプル画像を撮影した撮影条件も添付して送信する。  
そして、カメラ本体２は、ステップＳ８６に示すように送信されたサンプル画像を受信する。また、カメラ本体２は、ステップＳ８７に示すように受信したサンプル画像をカメラ本体２内の記録部８その他の記録部又はメモリに仮記録する。
【００５５】
また、カメラ本体２は、ステップＳ８８に示すように受信したサンプル画像に添付された撮影条件もカメラ本体２内に仮記録する。そして、このような処理の後、図１０のステップＳ１５の次のステップＳ１６において、仮記録されたサンプル画像が所定時間、表示部７で表示されることになる。  
上述したような構成及び機能や動作を行う本実施形態のカメラ１によれば、実際にカメラ本体２に装着された交換レンズ３における画像データの記録部としてのメモリ２２にサンプル画像及びそのサンプル画像の撮影条件等を記録するようにしている。  
従って、交換レンズ３を交換して特性が異なる交換レンズ３を装着した場合においても、実際に装着された交換レンズ３に応じてその交換レンズ３の場合における模範となるようなサンプル画像を容易に表示するようにできる。
【００５６】
このため、本実施形態によれば、模範となるサンプル画像を表示することにより、ユーザ１０に対して、撮影の補助をして撮影を行い易くすること、つまりユーザに対する撮影の利便性を向上することができる。また、本実施形態によれば、交換レンズ３を介して、他のユーザにその交換レンズ３に記録した画像や撮影条件等を含む画像データを譲り渡すこともできる。  
また、実際に装着された交換レンズ３のサンプル画像と共に、その撮影条件の情報を読み込んで、カメラ１の撮影条件に設定して撮影を行うこともできるので、ユーザ１０は、簡単に良好な撮影画像が得られるようになる。  
また、交換レンズ３が装着された状態で、カメラ１の操作部９，２３を操作して撮影条件を変更するような操作をすると、その操作に対応した模範となるサンプル画像を交換レンズ３のメモリ２２から読み出して表示することができるようにしている。
【００５７】
従って、ユーザ１０は操作部９，２３の操作機能を容易に確認することができると共に、実際に装着された交換レンズ３により撮影条件を変更した場合に撮影可能となる画像を表示されるサンプル画像により容易に知ることができる。  
また、ビューファインダの機能を考慮して、ビューファインダの着脱に応じて表示モードを制御することもできる。  
また、上述したカメラ制御の処理において、信号処理＆制御部６は、図１５に示すような処理手順の撮影制御方法を行うようにしても良い。  
図１５に示す撮影装置本体としてのカメラ本体２に着脱可能な交換レンズ３を装着して撮影装置としてのカメラ１により撮影する撮影制御方法は、装着された交換レンズ３内に予め記録された該交換レンズ３又は該交換レンズ３と同じ特性の交換レンズを用いて撮影したサンプル画像を、カメラ本体２の表示部７により表示する制御を行う第１の表示ステップＳ９１を有する。
【００５８】
また、この撮影制御方法は、第１の表示ステップＳ９１によりサンプル画像を表示している最中において、そのサンプル画像の撮影条件に参照設定（図１２のステップＳ５９に該当）するか否かの判定を行う判定ステップＳ９２と、参照設定する選択（操作）がされた場合には、上記サンプル画像を撮影した撮影条件を読み出して、該撮影条件をカメラ１の撮影条件に設定する制御を行う設定ステップＳ９３とを有する。なお、判定ステップＳ９２の参照設定が選択されない場合及び設定ステップＳ９３の処理の後、第２の表示ステップＳ９４に移る。
【００５９】
また、この撮影制御方法は、上記交換レンズ３を用いて、実際に撮像した画像を、上記カメラ本体２の表示部７により表示する制御を行う第２の表示ステップＳ９４と、この第２の表示ステップＳ９４の後、撮影条件を変更する操作有りか否かの判定を行うステップＳ９５とを有し、この操作が行われた場合には、ステップＳ９６において該操作に従って撮影条件を変更設定する処理を行う。  
この撮影制御方法は、ステップＳ９５の操作が無い場合及びステップＳ９６の処理の後、ステップＳ９７においてレリーズ操作が行われるのを待ち、レリーズ操作後にステップＳ９８に示すように被写体の撮影の処理を行う。その後、この撮影制御方法の処理が終了する。
【００６０】
このような撮影制御方法によれば、ユーザ１０は実際に装着されたサンプル画像を模範の撮影画像として表示し、そのサンプル画像のように撮影したいと望む場合には、カメラ１の撮影条件をそのサンプル画像の撮影条件に設定することができる。  
また、サンプル画像の撮影条件に設定した場合においても、さらにユーザ１０による操作により、その撮影条件の設定を自由に変更設定することができる。このため、ユーザ１０は、模範となるサンプル画像を利用することにより、実際に装着された交換レンズ３の特性が変化しても、その変化した特性に対応して良好な撮影画像を取得することが容易にできるようになる。
【００６１】
なお、図１５においては代表的の撮影制御方法の例を示したが、例えばステップＳ９１の前に撮像画像を表示し、サンプル画像の表示する操作に応じてサンプル画像を表示するようにしても良い。  
また、例えばステップＳ９１において、表示部７にサンプル画像を表示する代わりに、サンプル画像と撮像画像とを隣接して同時に表示するようにしても良い。  
なお、上述したようにカメラ本体２の記録部８に記録した撮影画像を、装着されている交換レンズ３のメモリ２２に、サンプル画像の画像として追加記録することもできるようにしているが、交換レンズ３は着脱自在に交換される。
【００６２】
このため、実際に撮影した場合の交換レンズ３と異なる特性の交換レンズ３のメモリ２２に対しても、サンプル画像として記録することも可能となってしまうため、それを識別し易くするために記録部８や各交換レンズ３に記録される画像に対して、その画像の撮影に使用した交換レンズ３の情報も同時に記録するようにしても良い。  
例えば広角レンズ３Ａや望遠レンズ３Ｂでは交換レンズ３の種類及び特性が異なるコード情報と共に、同じ種類の広角レンズ３Ａの場合にもその特性に応じてさらに異なるコード情報を付けて記録するようにしても良い。勿論、特性が異なる場合には異なるコード情報等の情報を記録するようにしても良い。  
そして、カメラ本体２の信号処理＆制御部６は、交換レンズ３が装着されて、交換レンズ３からサンプル画像を表示する場合、コード情報により、そのサンプル画像が実際に装着された交換レンズ４と同じ特性のものであるか否かの判定を行うことができるようにしても良い。
【００６３】
そして、信号処理＆制御部６の表示制御部６ｂは、判定結果に応じた表示制御を行う。例えば、表示制御部６ｂは、デフォルト設定においては、同じ特性の判定結果の場合に該当するサンプル画像のみを表示する。表示制御の設定を変更して、同じ特性の判定結果の場合に、同じ特性の交換レンズで撮影可能となる旨をサンプル画像と共に表示し、異なる特性の場合には特性が異なる交換レンズにより撮影された旨をサンプル画像と共に表示する表示制御を行うようにしても良い。  
換言すると、表示制御部６ｂは、実際に装着された交換レンズ３に記録された画像を読み出して表示する場合、該交換レンズと同じ特性の交換レンズで撮影されたものであるか否かの情報の表示を行う表示制御を行うようにしても良い。
【００６４】
図１６はこのような場合における表示制御部６ｂによる表示制御例を示す。特性が異なる特性の交換レンズにより撮影された画像がサンプル画像としてメモリ２２に記録されている場合、そのサンプル画像５３ｃを表示部７により表示した場合、例えば「異なる特性の交換レンズの画像」と言う主旨の情報の表示も行うようにしても良い。  
また、異なる特性の交換レンズの場合においても、その撮影条件を同じ撮影条件に設定できる場合には、（同じ特性の交換レンズでないが）撮影可能である旨の表示を行うようにしても良い。
【００６５】
このようにすると、ユーザ１０は、実際に装着された交換レンズ３により撮影可能となるサンプル画像であるか否かを容易に確認することができる。また、交換レンズ３により、サンプル画像を受け渡しするような場合においても、上記交換レンズ３の情報（コード情報）をサンプル画像と共に同時に受け渡しするようにすると、受け渡しされたサンプル画像を有効に利用できる。  
なお、各交換レンズ３には、その交換レンズ３により撮影できる撮影条件にほぼ該当する場合のサンプル画像を含む画像データを記録できるような設定を行うことができるようにしても良い。
【００６６】
また、ユーザ１０が、意図しないサンプル画像を交換レンズ３のメモリ２２に記録したような場合、そのサンプル画像を表示により確認して、そのサンプル画像をメモリ２２から消去できるようにしても良い。  
なお、交換レンズ３のメモリ２２において、その交換レンズ３と同じ特性の交換レンズの場合のサンプル画像等を記録するフォルダと、その交換レンズ３とは特性が異なる交換レンズの場合のサンプル画像等を記録するフォルダとを分けるようにしても良い。また、図１０等に示す処理手順は代表例を示すものであって、その一部の処理を省略したり、処理順序を変更したりしても良い。  
また、図２Ａに示すストロボ装置４Ｂを装着して、このストロボ装置４Ｂを用いて撮影したような場合には、撮影条件としてストロボ装置４Ｂの発光条件も、撮影情報に追加して記録するようにして良い。
【符号の説明】
【００６７】
１…カメラ、２…カメラ本体、３…交換レンズ、４…アクセサリ装置、５…撮像部、６…信号処理＆制御部、６ａ…通信制御部、６ｂ…表示制御部、７…表示部、８…記録部、９…操作部、１０…ユーザ、１２，１３，２４，３１…通信部、１５…顔検出部、２１…レンズ部、２２、３３…メモリ、２２ａ…セキュリティエリア、２５…制御部
【先行技術文献】
【特許文献】
【００６８】
【特許文献１】特開２００８−５２４０号公報
【図１】
2011170194.tif 000003
【図２Ａ】
2011170194.tif 000004
【図２Ｂ】
2011170194.tif 000005
【図２Ｃ】
2011170194.tif 000006
【図３Ａ】
2011170194.tif 000007
【図３Ｂ】
2011170194.tif 000008
【図４Ａ】
2011170194.tif 000009
【図４Ｂ】
2011170194.tif 000010
【図５Ａ】
2011170194.tif 000011
【図５Ｂ】
2011170194.tif 000012
【図６】
2011170194.tif 000013
【図７Ａ】
2011170194.tif 000014
【図７Ｂ】
2011170194.tif 000015
【図８】
2011170194.tif 000016
【図９】
2011170194.tif 000017
【図１０】
2011170194.tif 000018
【図１１】
2011170194.tif 000019
【図１２】
2011170194.tif 000020
【図１３】
2011170194.tif 000021
【図１４】
2011170194.tif 000022
【図１５】
2011170194.tif 000023
【図１６】
2011170194.tif 000024